(57)【要約】【課題】放送局から配信される放送コンテンツを録画する際に、ＶＯＤにて再配信される放送コンテンツの放送コンテンツ配信期間を調べて、録画の要否を判定する必要のないデジタル放送受信装置を提供する。【解決手段】本発明は、ＶＯＤにて再配信される放送コンテンツの放送コンテンツ配信期間とユーザーが設定する放送コンテンツの録画期間とに基づいて放送コンテンツの録画の要否を判定する放送コンテンツ録画管理部と、放送コンテンツ録画管理部で録画が必要と判定された場合に放送コンテンツを記憶し、放送コンテンツ録画管理部で録画が不要と判定された場合に放送コンテンツを記憶しない記憶部とを備える構成とした。【選択図】  図１
2014232978.tif 000002
【特許請求の範囲】
【請求項１】
デジタル放送で配信される第一放送コンテンツと、前記第一放送コンテンツと対応する内容で通信ネットワークを介して配信される第二放送コンテンツと、該第二放送コンテンツの配信される期間を示す放送コンテンツ配信期間と、を受信する放送コンテンツ情報受信部と、
前記放送コンテンツ情報受信部が受信する前記第一放送コンテンツのうち、録画する録画コンテンツと該録画コンテンツを録画しておく期間を示す放送コンテンツ録画期間とを録画予約として受け付ける録画予約情報受信部と、
前記放送コンテンツ配信期間と前記放送コンテンツ録画期間とに基づいて、前記録画予約として受け付けた放送コンテンツの録画の要否を判定する放送コンテンツ録画管理部と、
前記放送コンテンツ録画管理部で録画が必要と判定された場合に、前記録画コンテンツを記憶し、前記放送コンテンツ録画管理部で録画が不要と判定された場合に、前記録画コンテンツを記憶しない記憶部と
を備えるデジタル放送受信装置。
【請求項２】
前記放送コンテンツ録画管理部は、
前記放送コンテンツ録画期間のうち前記放送コンテンツ配信期間に含まれない期間がある場合は前記第一放送コンテンツの録画が必要と判定することを特徴とする請求項１に記載のデジタル放送受信装置。
【請求項３】
前記録画予約情報受信部に前記録画コンテンツを再生する信号が入力された場合に、前記記憶部に記憶された録画コンテンツを再生し、
前記放送コンテンツ管理部で録画が不要であると判定された場合に、前記第二放送コンテンツを再生する放送コンテンツ再生部と
を備えることを特徴とする請求項１又は請求項２に記載のデジタル放送受信装置。
【請求項４】
前記放送コンテンツ情報受信部は、
前記第一放送コンテンツと、前記第二放送コンテンツの配信される期間の情報とを受信するアンテナと、
前記第二放送コンテンツを受信する通信部と
を備えることを特徴とする請求項１から請求項３のいずれかに記載のデジタル放送受信装置。
【請求項５】
前記放送コンテンツ情報受信部は
前記第一放送コンテンツを受信するアンテナと、
前記第二放送コンテンツと、前記放送コンテンツ配信期間とを受信する通信部とを備えることを特徴とする請求項１から請求項３のいずれかに記載のデジタル放送受信装置。
【請求項６】
前記アンテナは、
前記第一放送コンテンツの情報を示す放送コンテンツ関連情報を受信し、
前記通信部は、
前記放送コンテンツ関連情報に基づいて外部の検索サーバに前記放送コンテンツ関連情報を送信し、前記検索サーバで検索された前記放送コンテンツ配信期間を受信することを特徴とする請求項５に記載のデジタル放送受信装置。
【請求項７】
デジタル放送で配信される第一放送コンテンツと、前記第一放送コンテンツと対応する内容で通信ネットワークを介して配信される第二放送コンテンツと、該第二放送コンテンツの配信される期間を示す放送コンテンツ配信期間と、を受信する放送コンテンツ情報受信部と、
前記放送コンテンツ情報受信部が受信する前記第一放送コンテンツのうち、録画する録画コンテンツと該録画コンテンツを録画しておく期間を示す放送コンテンツ録画期間とを録画予約として受け付ける録画予約情報受信部と、
前記放送コンテンツ配信期間と前記放送コンテンツ録画期間とに基づいて、前記録画予約として受け付けた放送コンテンツの録画の要否を判定する放送コンテンツ録画管理部と、
前記放送コンテンツ録画管理部で録画が必要と判定された場合に、前記録画コンテンツを記憶し、前記放送コンテンツ録画管理部で録画が不要と判定された場合に、前記録画コンテンツを記憶しない記憶部と、
前記記憶部の残りの記憶容量を監視する記憶容量監視部と、
を備え、
前記放送コンテンツ録画管理部は、
前記記憶容量監視部によって前記記憶部の残りの記憶容量が一定値以上であると判断された場合は前記録画コンテンツの録画が必要と判定し、
前記憶容量監視部によって前記記憶部の残りの記憶容量が一定値未満であると判断された場合は前記録画コンテンツの録画の要否を判定することを特徴とするデジタル放送受信装置。
【発明の詳細な説明】
【技術分野】
【０００１】
本発明は、放送コンテンツの録画、再生及びネットワーク上の放送コンテンツの再生を行うデジタル放送受信装置に関するものである。
【背景技術】
【０００２】
従来のデジタル放送受信装置は、地上波放送、ケーブルテレビ放送、衛星放送等の放送波を受信して放送コンテンツを表示する。また、従来の放送システムにおいて、放送コンテンツの放送コンテンツ名や開始時刻などの放送コンテンツ関連情報は、放送局からの電波やケーブル放送局からのケーブル伝送信号等で配信される放送コンテンツのデータに重畳され、電子データとして各家庭に配信される。これにより、各家庭においては、放送コンテンツの情報を電子番組案内（ＥＰＧ：Ｅｌｅｃｔｒｏｎｉｃ  Ｐｒｏｇｒａｍ  Ｇｕｉｄｅ）として確認することが可能となる。
【０００３】
一方、近年のブロードバンド環境の発展により、インターネット等のネットワークを経由して放送波で配信される放送コンテンツと同じ内容の放送コンテンツを視聴できるサービスがある。このサービスの多くはＶＯＤ（Ｖｉｄｅｏ  Ｏｎ  Ｄｅｍａｎｄ）方式（以下、ＶＯＤとする）を採用している。このＶＯＤによって、ユーザーは視聴したいときにいつでも放送コンテンツを視聴でき、放送コンテンツを見逃した場合や録画をし忘れた場合にも、所望の放送コンテンツを視聴することが可能である。しかし、ユーザーが放送コンテンツを視聴する際に、後にＶＯＤで配信されるものであるかどうかを確認する必要があるといった課題があった。この課題を解決するため、ＥＰＧにＶＯＤの有無を表示する技術がある（例えば、特許文献１）。
【先行技術文献】
【特許文献】
【０００４】
【特許文献１】特開２００８−２６３４３４号公報
【発明の概要】
【発明が解決しようとする課題】
【０００５】
しかしながら、放送コンテンツを録画する場合に、特許文献１のようにＥＰＧにＶＯＤの有無が放送コンテンツ毎に表示されていても、ユーザーは放送コンテンツ毎にＶＯＤにて再配信される放送コンテンツの有無を確認し、録画の要否を判断する必要があった。例えば、ユーザーはＶＯＤにて再配信される放送コンテンツについては、録画を行う必要はないが、ＶＯＤにて再配信されない放送コンテンツについては、録画をしておく必要がある。また、一般に、ＶＯＤにて再配信される放送コンテンツには視聴可能な期限（放送コンテンツ配信期間）が設定されており、ユーザーは放送コンテンツ配信期間を考慮する必要もあった。例えば、放送コンテンツ配信期間が短いような場合、ユーザーは放送コンテンツ配信期間内に放送コンテンツを視聴できる可能性は低いので、放送コンテンツを録画して長期に保持する必要がある。また、放送コンテンツ配信期間が十分に長いような場合、ユーザーはＶＯＤにて再配信される放送コンテンツを視聴できる可能性が高いため、録画する必要はない。このように、ユーザーは自身が放送コンテンツを視聴したい期間、すなわち放送コンテンツを録画して記憶する期間（放送コンテンツ録画期間）と放送コンテンツ配信期間を比べて、放送コンテンツ毎に録画の要否を判断する必要があった。
【０００６】
そこで、本発明はユーザーが放送コンテンツ配信期間を考慮することなく、放送コンテンツの録画の要否を判定するデジタル放送受信装置を得ることを目的とする。
【課題を解決するための手段】
【０００７】
本発明のデジタル放送受信装置は、デジタル放送で配信される第一放送コンテンツと、前記第一放送コンテンツと対応する内容で通信ネットワークを介して配信される第二放送コンテンツと、該第二放送コンテンツの配信される期間を示す放送コンテンツ配信期間と、を受信する放送コンテンツ情報受信部と、前記放送コンテンツ受信部が受信する前記第一放送コンテンツのうち、録画する録画コンテンツと該録画コンテンツを録画しておく期間を示す放送コンテンツ録画期間とを録画予約として受け付ける録画予約情報受信部と、前記放送コンテンツ配信期間と前記放送コンテンツ録画期間とに基づいて、前記録画予約として受け付けた放送コンテンツの録画の要否を判定する放送コンテンツ録画管理部と、前記放送コンテンツ録画管理部で録画が必要と判定された場合に、前記録画コンテンツを記憶し、前記放送コンテンツ録画管理部で録画が不要と判定された場合に、前記録画コンテンツを記憶しない記憶部とを備えることを特徴とする。
【発明の効果】
【０００８】
本発明に係るデジタル放送受信装置は、放送コンテンツ録画期間と放送コンテンツ配信期間とに基づいて、放送波で放送される第一放送コンテンツのうち録画予約された第一放送コンテンツの録画の要否を判定するので、ユーザーが放送コンテンツ配信期間を考慮することなく放送コンテンツを視聴できる。
【図面の簡単な説明】
【０００９】
【図１】実施の形態１に係るデジタル放送の放送システムの構成を示す図。
【図２】実施の形態１に係るデジタル放送配信装置の構成を示す図。
【図３】実施の形態１に係るＥＩＴ情報のデータ構造を示す図。
【図４】実施の形態１に係るＶＯＤ再配信予定情報の例。
【図５】実施の形態１に係るデジタル放送受信装置の構成を示す図。
【図６】実施の形態１に係る放送コンテンツ録画管理部が作成する予約コンテンツ管理テーブル。
【図７】実施の形態１に係る放送コンテンツ録画管理部が作成する予約コンテンツリスト。
【図８】実施の形態１に係る放送コンテンツ録画管理部が作成する録画コンテンツ管理テーブル。
【図９】実施の形態１に係る放送コンテンツ録画管理部が作成する録画コンテンツリスト。
【図１０】実施の形態１に係るデジタル放送受信装置の動作フローチャート。
【図１１】実施の形態１に係る放送コンテンツ録画期間設定画面の例。
【図１２】実施の形態１に係る放送コンテンツ録画期間情報の例。
【図１３】実施の形態１に係る放送コンテンツ録画管理部の録画要否判定の動作フローチャート。
【図１４】実施の形態１に係る放送コンテンツ録画管理部が予約コンテンツ管理テーブルを作成する手順を説明する図。
【図１５】実施の形態１に係る放送コンテンツ録画管理部が録画コンテンツ管理テーブルを作成する手順を説明する図。
【図１６】実施の形態１に係るデジタル放送受信装置の再生時の動作フローチャート。
【図１７】実施の形態１に係る録画コンテンツリストの例。
【図１８】実施の形態２に係るデジタル放送の放送システムの構成を示す図。
【図１９】実施の形態３に係るデジタル放送受信装置の構成を示す図。
【発明を実施するための形態】
【００１０】
実施の形態１．
以下、図１から図１７を用いて実施の形態１に係るデジタル放送受信装置について説明する。図１は実施の形態１に係るデジタル放送の放送システムの構成を示す図である。図２は実施の形態１に係るデジタル放送配信装置の構成を示す図である。図３は実施の形態１に係るＥＩＴ情報のデータ構造を示す図である。図４は実施の形態１に係るＶＯＤ再配信予定情報の例である。図５は実施の形態１に係るデジタル放送受信装置の構成を示す図である。図６は実施の形態１に係る放送コンテンツ録画管理部が作成する予約番組リストである。図７は実施の形態１に係る放送コンテンツ録画管理部が作成する予約コンテンツリストである。図８は実施の形態１に係る放送コンテンツ録画管理部が作成する録画番組リストである。図９は実施の形態１に係る放送コンテンツ録画管理部が作成する録画コンテンツリストである。図１０は実施の形態１に係るデジタル放送受信装置の動作フローチャートである。図１１は実施の形態１に係る放送コンテンツ録画期間設定画面の例である。図１２は実施の形態１に係る放送コンテンツ録画期間情報の例である。図１３は実施の形態１に係る放送コンテンツ録画管理部の録画要否判定の動作フローチャートである。図１４は実施の形態１に係る放送コンテンツ録画管理部が予約コンテンツ管理テーブルを作成する手順を説明する図である。図１５は実施の形態１に係る放送コンテンツ録画管理部が録画コンテンツ管理テーブルを作成する手順を説明する図である。図１６は実施の形態１に係るデジタル放送受信装置の再生時動作の動作フローチャートである。図１７は実施の形態１に係る録画コンテンツリストの例である。
【００１１】
まず、実施の形態１に係るデジタル放送受信装置の説明の前提として、図１を用いて実施の形態１に係るデジタル放送の放送システムについて説明する。
【００１２】
実施の形態１に係るデジタル放送の放送システムは、デジタル放送配信装置１、デジタル放送受信装置２、ＶＯＤ配信サーバ３から構成される。
【００１３】
デジタル放送配信装置１は、放送局などで運営され、映像や音声などの放送コンテンツのデータそのものや、この放送コンテンツ（第一放送コンテンツ）のデータとＥＩＴ（Ｅｖｅｎｔ  Ｉｎｆｏｒｍａｔｉｏｎ  Ｔａｂｌｅ）情報を多重化し、放送波としてデジタル放送受信装置２へ配信する。ここで、ＥＩＴ情報は、番組に関する情報であり、例えば、放送コンテンツ名や放送コンテンツの開始時間などをデータとして有する。なお、ＥＩＴ情報は、その他の情報ＳＤＴ（Ｓｅｒｖｉｃｅ  Ｄｅｓｃｒｉｐｔｉｏｎ  Ｔａｂｌｅ）情報（チャンネルに関する情報）等とともにＳＩ（Ｓｅｒｖｉｃｅ  Ｉｎｆｏｒｍａｔｉｏｎ）情報として配信される。また、デジタル放送配信装置１はルータ等であるＧＷ４ａを介してインターネット等の通信ネットワーク５と接続されている。したがって、デジタル放送配信装置１は、放送コンテンツやＳＩ情報をＶＯＤ配信サーバ３に通信ネットワーク５を介して配信することができる。また、デジタル放送配信装置１は放送コンテンツのデータを放送波としてデジタル放送受信装置２へ配信するものとしたが、ケーブル伝送信号等により放送コンテンツのデータを配信してもよい。以下の説明では放送波による放送コンテンツの配信を例として説明する。
【００１４】
デジタル放送受信装置２は、デジタル放送配信装置１より配信された放送波を受信する機器である。また、デジタル放送受信装置２は、デジタル放送配信装置１と同様、ＧＷ４ｂを介して通信ネットワーク５と接続されている。したがって、ＶＯＤ配信サーバ３から通信ネットワーク５を介してＶＯＤにて再配信される放送コンテンツ（第二放送コンテンツ）を受信することができる。
【００１５】
ＶＯＤ配信サーバ３は、ＶＯＤにて再配信される放送コンテンツの配信を行うサーバ装置である。ＶＯＤ配信サーバ３は、デジタル放送配信装置１から受信した放送コンテンツをＶＯＤにて再配信される放送コンテンツとしてＶＯＤ配信サーバ３から通信ネットワーク５、ＧＷ４ｃを介してデジタル放送受信装置２へ配信する。したがって、ユーザーはデジタル放送配信装置１から配信される放送コンテンツと対応する内容の放送コンテンツをＶＯＤ配信サーバ３を利用して視聴することができる。なお、ここでいう対応する内容とは、同じ内容の放送コンテンツであることをいう。ただし、同じ内容とは、完全同一でなくてもよく、放送コンテンツの再放送であれば編集等されていてもよい。
【００１６】
次に、デジタル放送配信装置１の構成について図２を用いて説明する。
【００１７】
デジタル放送配信装置１は映像符号化部１１、音声符号化部１２、ＳＩ情報生成部１３、セクション化部１４、Ｍｕｘ処理部１５、データ配信部１６、データ通信部１７から構成される。
【００１８】
映像符号化部１１は、放送コンテンツの映像信号を符号化する。
【００１９】
音声符号化部１２は、放送コンテンツの音声信号を符号化する。
【００２０】
ＳＩ情報生成部１３は、放送コンテンツ関連情報を基に、ＥＩＴ情報を有するＳＩ情報を生成する。放送コンテンツ関連情報とは、現在及び将来配信予定の放送コンテンツに関する情報であり、放送コンテンツ名や放送開始時刻等が含まれる。一般に、デジタル放送受信装置２は、このＳＩ情報をもとにＥＰＧを作成する。
【００２１】
セクション化部１４は、ＳＩ情報生成部１３が生成したＳＩ情報を、セクション形式のＳＩテーブルに格納するセクション化を行う。
【００２２】
Ｍｕｘ処理部１５は、映像符号化部１１により符号化された映像信号と音声符号化部１２により符号化された音声信号とにセクション化されたＳＩ情報を多重化してトランスポートストリームを生成する。ここで、トランスポートストリームとは、多重信号形式の１つで、デジタル放送の多重化信号として採用されている信号形式である。トランスポートストリームは、映像信号、音声信号、ＳＩ情報を伝送路の種類によらず１つのストリームとして伝送できる。
【００２３】
データ配信部１６はＭｕｘ処理部１５で生成されたトランスポートストリームを変調処理し、放送波としてデジタル放送受信装置２へ配信する。
【００２４】
データ通信部１７はＧＷ４ａを経由して通信ネットワーク５と接続され、さらにＧＷ４ｃを経由してＶＯＤ配信サーバ３へ放送コンテンツを配信する。
【００２５】
ここで、デジタル放送配信装置１が配信するＳＩ情報に含まれるＥＩＴ情報について図３、図４を用いて詳細に説明する。図３は、実施の形態１に係るＥＩＴ情報のデータ構造を示す図である。図４は、実施の形態１に係るＶＯＤ再配信予定情報の例である。
【００２６】
図３に示すように、ＥＩＴ情報は、「Ｅｖｅｎｔ＿ｉｎｆｏｒｍａｔｉｏｎ＿ｓｅｃｔｉｏｎ（）」以下に、放送コンテンツに関する様々な情報が記述されている、例えば、放送コンテンツの開始時間「ｓｔａｒｔ＿ｔｉｍｅ」、放送コンテンツの長さ「ｄｕｒａｔｉｏｎ」などである。これらの放送コンテンツに関する情報は、放送コンテンツを識別する識別子「ｅｖｅｎｔ＿ｉｄ」に対応づけられて記述される。更に、後続する記述子領域「ｄｅｓｃｒｉｐｔｏｒ（）」は別途定義される記述子が適宜挿入され、さまざまな放送コンテンツ関連情報を追加記載することができる。デジタル放送配信装置１は、ＶＯＤ再配信予定情報を本記述子領域「ｄｅｓｃｒｉｐｔｏｒ（）」に記述する。なお、ＶＯＤ再配信予定情報とは、ＶＯＤにて再配信される放送コンテンツに関する情報であり、図４に示すように、放送コンテンツ配信期間、契約ＩＤ（契約情報）、ＵＲＩから構成される。ここで、契約ＩＤは、ＶＯＤ配信サーバ３が管理するＩＤである。一般に、デジタル放送受信装置２のユーザーは予めＶＯＤ配信サーバ３の管理者と契約している場合、契約ＩＤに対応するコードをデジタル放送受信装置２内に記憶させている。このコードと契約ＩＤとが鍵となり、ユーザーはＶＯＤにて再配信される放送コンテンツを視聴することができる。さらに、ＵＲＩはインターネット上に存在するＶＯＤにて再配信される放送コンテンツの場所を指し示す情報であり、家庭用のインターネットで広く用いられているＵＲＩもＵＲＬの一種である。
【００２７】
次に、図５を用いて実施の形態１に係るデジタル放送受信装置２の構成について説明する。図５は実施の形態１に係るデジタル放送受信装置の構成を示す図である。
【００２８】
デジタル放送受信装置２は、内部バス２００、アンテナ２０１、チューナー２０２、復調部２０３、Ｄｅｍｕｘ処理部２０４、復号処理部２０５、映像制御部２０６、表示画面制御部２０７、映像Ｄ／Ａコンバータ２０８、モニター２０９、音声Ｄ／Ａコンバータ２１０、スピーカ２１１、制御部２１２、通信部２１３、操作受信部２１４（録画予約情報受信部）、記憶部２１５、記憶容量監視部２１５ａ、ＶＯＤ処理部２１６、放送コンテンツ録画期間設定部２１７、ＶＯＤ再配信予定判断部２１８、放送コンテンツ録画管理部２１９から構成される。
【００２９】
内部バス２００は、デジタル放送受信装置２内の各構成を接続する。各構成は、内部バス２００を介して信号のやりとりを行う。
【００３０】
アンテナ２０１は、放送局から配信された放送波を受信する。
【００３１】
チューナー２０２は、アンテナ２０１で受信した放送波の同調処理及び、ＩＦ（Ｉｎｔｅｒｍｅｄｉａｔｅ  Ｆｒｅｑｕｅｎｃｙ）信号への変換を行う。ＩＦ信号とは、放送波の周波数と元の映像信号等の周波数の間に設定した中間周波数のことをいう。
【００３２】
復調部２０３は変調された放送波を復調して、映像信号や音声信号、ＳＩ情報が多重化されたトランスポートストリームを出力する。
【００３３】
Ｄｅｍｕｘ処理部２０４は、復調部２０３で復調されたトランスポートストリームから映像信号や音声信号、ＳＩ情報を分離する。なお、分離したＳＩ情報は後述する記憶部２１５へ出力される。
【００３４】
復号処理部２０５は、分離された映像信号や音声信号を復号化する処理を行う。
【００３５】
映像制御部２０６は、復号処理部２０５から取得した映像信号と、後述する表示画面制御部２０７から取得した画像イメージをミックスして映像Ｄ／Ａコンバータ２０８へ出力する。
【００３６】
表示画面制御部２０７は、画像イメージを作成し、映像制御部２０６へ出力する。例えば、放送波を再生しながらＥＰＧ画面を表示させる場合、表示画面制御部２０７はトランスポートストリームから分離されたＳＩ情報をもとに、表示画面制御部２０７にて放送コンテンツ名や放送コンテンツの開始時間等が表示されるＥＰＧ画面の画像イメージを作成し、映像制御部２０６へ出力する。すなわち、表示画面制御部２０７は、ユーザーが録画予約するための画面（録画コンテンツリスト）や録画予約を確認するための画面（予約コンテンツリスト）等、ユーザーによって操作される画面の画像イメージを作成する。
【００３７】
映像Ｄ／Ａコンバータ２０８は、映像制御部２０６から入力された映像信号や画像イメージをデジタル／アナログ変換してモニター２０９へ出力する。
【００３８】
モニター２０９はアナログ映像信号に変換された映像信号を映像として表示する。
【００３９】
音声Ｄ／Ａコンバータ２１０は、復号処理部２０５で復号された音声信号をデジタル／アナログ変換する。
【００４０】
スピーカ２１１は、アナログ音声信号に変換された音声信号を音声として再生する。
【００４１】
通信部２１３は、図１に示した、通信ネットワーク５とのデータ通信を行うインターフェースである。例えば、通信部２１３は、ＶＯＤ配信サーバ３からＶＯＤにて再配信される放送コンテンツを受信する。
【００４２】
操作受信部２１４はリモコン２１４ａを介してユーザーからの操作入力信号を受信する。例えば、操作受信部２１４は、録画予約、チャンネル変更、放送コンテンツ録画期間等の信号を操作入力信号として受信する。
【００４３】
記憶部２１５は、ＨＤＤなどの記憶媒体であり、Ｄｅｍｕｘ処理部２０４でトランスポートストリームから分離されたＳＩ情報を記憶する。また、記憶部２１５はアンテナ２０１で受信した放送波の放送コンテンツが録画予約された場合、録画予約された放送コンテンツの映像信号及び音声信号を映像データ及び音声データとして記憶する。
【００４４】
記憶容量監視部２１５ａは、記憶部２１５が残りどれだけの放送コンテンツを録画することが可能であるかを示す記憶容量の監視を行う。
【００４５】
ＶＯＤ処理部２１６は通信部２１３で受信したＶＯＤにて再配信される放送コンテンツの再生処理を行う。ここでいう再生処理とは、ストリーミング形式で配信される放送コンテンツの復号処理をいう。
【００４６】
放送コンテンツ録画期間設定部２１７は、放送コンテンツ録画期間の設定、管理を行う。放送コンテンツ録画期間設定部２１７は、ユーザーのリモコン操作により、操作受信部２１４に放送コンテンツ録画期間が入力された場合に、操作内容を受けて記憶部２１５へ放送コンテンツ録画期間を記録する。
【００４７】
ＶＯＤ再配信予定判断部２１８は、ＶＯＤにて再配信される放送コンテンツの有無を判断する。具体的には、ユーザーから録画予約の操作がされた場合に、ＶＯＤ再配信予定判断部２１８は、記憶部２１５から読み出したＳＩ情報に含まれるＥＩＴ情報の記述子領域「ｄｅｓｃｒｉｐｔｏｒ（）」を参照する。この記述子領域「ｄｅｓｃｒｉｐｔｏｒ（）」にＶＯＤ再配信予定情報記述子が記述されているか否かで放送コンテンツがＶＯＤにて再配信されるかを判断する。ＶＯＤ再配信予定情報識別子が有る場合にはＶＯＤにて放送コンテンツが再配信されるものと判断する。
【００４８】
放送コンテンツ録画管理部２１９は、予約コンテンツ管理テーブル及び、録画コンテンツ管理テーブルを作成する。ここで、予約コンテンツ管理テーブルとは、ユーザーが録画の予約を確認する場合にモニター２０９に表示される予約コンテンツリストを作成するための管理テーブルである。また、録画コンテンツ管理テーブルとは、ユーザーが録画予約した放送コンテンツを再生する際にモニター２０９に表示される録画コンテンツリストを作成するための管理テーブルである。さらに、放送コンテンツ録画管理部２１９は予約コンテンツ管理テーブル及び録画コンテンツ管理テーブルに記述する録画タイプの判定を行う。
【００４９】
ここで、予約コンテンツ管理テーブル、予約コンテンツリスト、録画コンテンツ管理テーブル、録画コンテンツリストについて図６から図９を用いて説明する。図６は実施の形態１に係る放送コンテンツ録画管理部が作成する予約コンテンツ管理テーブルである。図７は実施の形態１に係る放送コンテンツ録画管理部が作成する予約コンテンツリストである。図８は実施の形態１に係る放送コンテンツ録画管理部が作成する録画コンテンツ管理テーブルである。図９は実施の形態１に係る放送コンテンツ録画管理部が作成する録画コンテンツリストである。
【００５０】
予約コンテンツ管理テーブルは、図６に示すように、Ｅｖｅｎｔ＿ＩＤ、日付、放送コンテンツ名、録画タイプ、放送コンテンツ配信期間、アクセス先、契約ＩＤから構成される。例えば、ユーザーが２０１２年１２月３日に放送される映画「○○○」の録画予約をした場合、放送コンテンツ録画管理部２１９は、ＥＩＴ情報からＥｖｅｎｔ＿ＩＤ、日付、放送コンテンツ名を、ＥＩＴ情報に含まれるＶＯＤ再配信予定情報から放送コンテンツ配信期間、アクセス先、契約ＩＤを取得し、予約コンテンツ管理テーブルにこれらの情報を記述する。なお、日付は放送コンテンツがデジタル放送配信装置１から配信される放送日をいう。また、アクセス先は、録画タイプが「ＶＯＤ」である場合はＵＲＩ、録画タイプが「録画」である場合は放送コンテンツのファイルが記憶されている場所が記述される。このとき、予約コンテンツ管理テーブルの歴史館「△△」にはアクセス先が空欄となっている。これは、録画された後に録画された放送コンテンツのファイルの位置を書き込むため、予約コンテンツ管理テーブル作成時には空欄となっている。また、予約コンテンツ管理テーブルの項目は必ずしもＥｖｅｎｔ＿ＩＤ、日付、放送コンテンツ名、録画タイプ、放送コンテンツ配信期間、アクセス先、契約ＩＤでなくてもよく、例えば、放送コンテンツの開始時刻等、ＳＩ情報から取得できる情報であればよい。
【００５１】
予約コンテンツリストは、図７に示すように放送コンテンツが放送される日付と放送コンテンツ名からなる。この例において、ユーザーは映画「○○○」、７時のニュース、歴史館「△△」がそれぞれ録画予約されていることが確認できる。なお、予約コンテンツリストの項目は必ずしも日付、放送コンテンツ名から構成されるものではなく、予約コンテンツ管理テーブルを構成する項目であればよい。
【００５２】
録画コンテンツ管理テーブルは、図８に示すように、Ｅｖｅｎｔ＿ＩＤ、日付、放送コンテンツ名、録画タイプ、放送コンテンツ配信期間、アクセス先、契約ＩＤから構成される。図６で説明した予約コンテンツ管理テーブルにおいて、録画タイプが「録画」である歴史館「△△」のアクセス先として、記憶部２１５に記載したファイルの位置が記載されている。その他の項目において、録画コンテンツ管理テーブルは予約コンテンツ管理テーブルと同じ構成であるため説明を省略する。
【００５３】
録画コンテンツリストは、図９に示すように放送コンテンツ名、日付、録画タイプから構成される。放送コンテンツ録画管理部２１９は、ユーザーによって視聴を希望する録画コンテンツリスト上の放送コンテンツが選択されると、通信部２１３は、選択された放送コンテンツのアクセス先を録画コンテンツ管理テーブルから参照してアクセス先へ自動で接続する。なお、録画コンテンツリストは、必ずしも放送コンテンツ名、日付、録画タイプのみから構成されるものではなく、録画コンテンツ管理テーブルを構成する項目であればよい。
【００５４】
ここで、放送コンテンツ録画管理部２１９の録画タイプの判定について説明する。
【００５５】
放送コンテンツ録画管理部２１９は、ユーザーが視聴を希望する放送コンテンツの録画予約をした場合、この放送コンテンツの放送コンテンツ配信期間とユーザーが設定した放送コンテンツ録画期間に基づいて録画タイプを判定する。具体的には、放送コンテンツ録画管理部２１９は、放送コンテンツ配信期間に含まれない放送コンテンツ録画期間が存在する場合、録画と判定し、それ以外の場合はＶＯＤと判定する。例えば、図６の映画「○○○」を例とすると、ユーザーが設定した放送コンテンツ録画期間が「２０１２／１２／４  ―  ２０１２／１２／２５」であった場合、放送コンテンツ録画期間は放送コンテンツ配信期間「２０１２／１２／４  ―  ２０１３／２／１０」に全て含まれる。したがって、放送コンテンツ録画管理部２１９は録画タイプとしてＶＯＤと判定する。
【００５６】
一方、図６の歴史館「△△」を例とすると、ユーザーが設定した放送コンテンツ録画期間が「２０１２／１２／１９  ―  ２０１２／１２／２７」であった場合、放送コンテンツ録画期間は放送コンテンツ配信期間「２０１２／１２／１９  ―  ２０１２／１２／２４」に含まれない期間「２０１２／１２／２５  −  ２０１２／１２／２７」が存在する。
【００５７】
このように、放送コンテンツ配信期間に含まれない放送コンテンツ録画期間が存在する場合に、放送コンテンツ録画管理部２１９が録画タイプとしてＶＯＤと判定してしまうと、ユーザーは「２０１２／１２／２５  −  ２０１２／１２／２７」の期間、視聴したい放送コンテンツ歴史館「△△」を視聴することができない。したがって、放送コンテンツ録画管理部２１９は録画タイプとして録画と判定する。
【００５８】
なお、ＶＯＤにて再配信される放送コンテンツが複数の放送コンテンツ配信期間に分かれて配信されるような場合も考えられる。この場合においても、放送コンテンツ録画管理部２１９は、放送コンテンツ配信期間に含まれない放送コンテンツ録画期間が存在する場合、録画と判定し、それ以外の場合はＶＯＤと判定する。例えば、放送コンテンツ配信期間が「２０１２／１２／４  ―  ２０１３／２／１０、２０１３／２／１５  ―  ２０１３／３／２５」、放送コンテンツ録画期間が「２０１２／１２／４  ―  ２０１３―３／２５」である場合、放送コンテンツ配信期間に放送コンテンツ録画期間に含まれない期間「２０１３／２／１１−２０１３／２／１４」が存在するため、放送コンテンツ録画管理部２１９は録画タイプとして録画と判定する。
【００５９】
なお、放送コンテンツ録画管理部２１９で録画すると判定された放送コンテンツは、記憶部２１５に記憶される。記憶部２１５に記憶されている放送コンテンツは復号処理部２０５で復号処理され、映像制御部２０６、映像Ｄ／Ａコンバータ２０８、モニター２０９、音声Ｄ／Ａコンバータ２１０、スピーカ２１１、によって再生される。
【００６０】
なお、放送コンテンツ録画管理部２１９でＶＯＤと判定された放送コンテンツは、通信部２１３により、ＶＯＤ配信サーバ３から放送コンテンツが受信される。ＶＯＤにて再配信される放送コンテンツは、ＶＯＤ処理部２１７でストリーミング処理されて映像制御部２０６、映像Ｄ／Ａコンバータ２０８、モニター２０９、音声Ｄ／Ａコンバータ２１０、スピーカ２１１、によって再生される。
【００６１】
また、復号処理部２０５、映像制御部２０６、映像Ｄ／Ａコンバータ２０８、モニター２０９、音声Ｄ／Ａコンバータ２１０、スピーカ２１１、ＶＯＤ処理部２１６を総称して放送コンテンツ再生部とする。
【００６２】
制御部２１２は内部バス２００を介して各構成の動作を制御する。
【００６３】
次に、図１０〜図１７を用いて実施の形態１に係るデジタル放送受信装置２の動作を説明する。図１０は実施の形態１に係るデジタル放送受信装置の動作フローチャートである。図１１は実施の形態１に係る放送コンテンツ録画期間設定画面の例である。図１２は実施の形態１に係る放送コンテンツ録画期間情報の例である。図１３は実施の形態１に係る放送コンテンツ録画管理部の録画要否判定の動作フローチャートである。図１４は実施の形態１に係る放送コンテンツ録画管理部が予約コンテンツ管理テーブルを作成する手順を説明する図。図１５は実施の形態１に係る放送コンテンツ録画管理部が録画コンテンツ管理テーブルを作成する手順を説明する図である。図１６は実施の形態１に係るデジタル放送受信装置の再生時の動作フローチャートである。図１７は実施の形態１に係る録画コンテンツリストの例である。なお、以下の説明においては、ユーザーによって２０１３年１２月２５日に放送される「ドラマ「ＸＹＺ」」を録画予約された例を用いる。すなわち、図８における録画コンテンツ管理テーブルに「ドラマ「ＸＹＺ」」を追加する動作について説明する。
【００６４】
Ｓ１において、アンテナ２０１は多重化された放送コンテンツのデータとＳＩ情報とからなる放送波をデジタル放送配信装置１から受信する。このとき、ＳＩ情報にはドラマ「ＸＹＺ」に関するＥＩＴ情報及びＥＩＴ情報に含まれるＶＯＤ再配信予定情報が含まれるものとする。また、ＥＩＴ情報には、Ｅｖｅｎｔ＿ＩＤ「１１４」、放送コンテンツ名「ドラマ「ＸＹＺ」」、日付「２０１３／１２／２５」が含まれるものとする。さらに、ＶＯＤ再配信予定情報には、放送コンテンツ配信期間「２０１３／１２／２６−２０１４／２／２６」、アクセス先のＵＲＩ「ｈｔｔｐ：／／ｗｗｗ．＊＊＊」、契約ＩＤ「１３４５」が含まれるものとする。
【００６５】
また、復調部２０３は受信した放送波を復調してトランスポートストリームとしてＤｅｍｕｘ処理部２０４へ出力する。
【００６６】
さらに、Ｄｅｍｕｘ処理部２０４はトランスポートストリームを放送コンテンツとＳＩ情報に分離する。分離されたＳＩ情報は、記憶部２１５に記憶される。
【００６７】
Ｓ２において、ユーザーは視聴を希望し録画する放送コンテンツ「ドラマ「ＸＹＺ」」をＥＰＧ画面等からリモコン２１４ａの操作によって選択する。なお、以下の説明において、ユーザーが視聴を希望し、録画する放送コンテンツを「録画コンテンツ」として説明する。
【００６８】
放送コンテンツ録画期間設定部２１７は、録画コンテンツ「ドラマ「ＸＹＺ」」が選択されたことをうけて、モニター２０９に放送コンテンツ録画期間設定画面を表示させる。放送コンテンツ録画期間設定画面は、ユーザーが放送コンテンツ録画期間を設定するための画面である。例えば、図１１は録画予約の際に表示される放送コンテンツ録画期間設定画面であり、放送コンテンツ録画期間「３０日間」が登録されている。放送コンテンツ録画期間は放送コンテンツの種類で変更することも可能である。例えば、ユーザーは放送コンテンツ録画期間設定画面上において、放送コンテンツがドラマである場合は６０日間、映画である場合には４０日間等、放送コンテンツ録画期間を自由に設定することができる。図１１の放送コンテンツ録画期間設定画面は、ドラマは放送コンテンツの放送日から６０日、映画は放送コンテンツの放送日から４０日、ドラマ及び映画以外の放送コンテンツは放送日から３０日間、記憶部２１５に録画コンテンツを記憶しておくことを意味する。なお、以下の説明では放送コンテンツ録画期間の値は、放送日の翌日から起算するものとして説明する。
【００６９】
また、放送コンテンツ録画期間設定部２１７は、ユーザーからのリモコン操作により放送コンテンツ録画期間が設定された場合に、図１２に示す放送コンテンツ録画期間情報を作成する。放送コンテンツ録画期間情報は放送コンテンツ録画期間設定部２１７で設定された放送コンテンツ録画期間と、放送コンテンツの種別とが対応付けられた情報である。放送コンテンツ録画期間設定部２１７は放送コンテンツ録画期間情報を記憶部２１５へ出力する。
【００７０】
さらに、記憶部２１５は、放送コンテンツ録画期間情報を受けて記憶する。
【００７１】
Ｓ３において、放送コンテンツ録画管理部２１９は録画予約された録画コンテンツについて録画の要否を判定する。ここで、以下に図１３を用いてＳ３の放送コンテンツ録画管理部２１９による録画の要否判定の動作について詳細に説明する。なお、図１３は実施の形態１に係る録画要否判定の動作フローチャートである。
【００７２】
Ｓ３１において、放送コンテンツ録画管理部２１９は、録画予約された録画コンテンツ「ドラマ「ＸＹＺ」」の配信予定の有無を確認するため、ＶＯＤ再配信予定判断部２１８に「ドラマ「ＸＹＺ」」の「Ｅｖｅｎｔ＿ＩＤ」を出力する。
【００７３】
ＶＯＤ再配信予定判断部２１８は、「ドラマ「ＸＹＺ」」の「Ｅｖｅｎｔ＿ＩＤ」に基づいて記憶部２１５のＳＩ情報を参照する。また、ＶＯＤ再配信予定判断部２１８は、ＳＩ情報に含まれるＥＩＴ情報の記述子領域「ｄｅｓｃｒｉｐｔｏｒ（）」を参照する。ＶＯＤ再配信予定判断部２１８は、記述子領域「ｄｅｓｃｒｉｐｔｏｒ（）」にＶＯＤ再配信予定情報記述子があった場合、「ドラマ「ＸＹＺ」」がＶＯＤにて再配信されると判断する。さらに、ＶＯＤ再配信予定判断部２１８は、ＶＯＤ再配信予定情報を取得し、放送コンテンツ録画管理部２１９に出力する。
【００７４】
放送コンテンツ録画管理部２１９は、ＶＯＤ再配信予定判断部２１８から「ドラマ「ＸＹＺ」」のＶＯＤ再配信予定情報を取得し、予約コンテンツ管理テーブルに「ドラマ「ＸＹＺ」」の情報（Ｅｖｅｎｔ＿ＩＤ、日付、放送コンテンツ名、放送コンテンツ配信期間、アクセス先、契約ＩＤ）を登録する。この例の場合、図１４に示すように、放送コンテンツ録画管理部２１９は、Ｅｖｅｎｔ＿ＩＤ「１１４」、日付「２０１３／１２／２５」、放送コンテンツ名「ドラマ「ＸＹＺ」」、放送コンテンツ配信期間「２０１３/１２/２６―２０１４/２/２６」、ＵＲＩ「ｈｔｔｐ：／／ｗｗｗ．＊＊＊」、契約ＩＤ「１３４５」を予約コンテンツ管理テーブルに登録し、Ｓ３２へ進む。なお、仮にＶＯＤ再配信予定情報が無かった場合、放送コンテンツ録画管理部２１９は「ドラマ「ＸＹＺ」」がＶＯＤにて再配信されないと判断し、Ｓ４へ進む。
【００７５】
Ｓ３２において、放送コンテンツ録画管理部２１９は、ＶＯＤ再配信予定判断部２１８から取得したＶＯＤ再配信予定情報から契約ＩＤを参照し、「ドラマ「ＸＹＺ」」がデジタル放送受信装置２において契約済みであるか否かを判定する。この例では契約済み（無料も含む）であるとし、Ｓ３３へ進む。なお、仮に契約済みでない場合はＳ４へ進む。
【００７６】
Ｓ３３において、放送コンテンツ録画管理部２１９は放送コンテンツ録画期間に放送コンテンツ配信期間が含まれるか判定する。放送コンテンツ録画管理部２１９は、記憶部２１５から放送コンテンツ録画期間を取得し、予約コンテンツ管理テーブルに登録された放送コンテンツ配信期間と比較する。この例の場合、放送コンテンツ配信期間が「２０１３／１２／２６−２０１４／２／２６」、放送コンテンツ録画期間が放送日「２０１３／１２／２５」の翌日から「６０日」なので「２０１３／１２／２６−２０１３／２／２３」であり、放送コンテンツ録画期間が放送コンテンツ配信期間の中に含まれるので、放送コンテンツ録画管理部２１９は、放送された「ドラマ「ＸＹＺ」」の録画の代替としてＶＯＤにて再配信される「ドラマ「ＸＹＺ」」が適すると判定し、図１４の予約コンテンツ管理テーブルの録画タイプに「ＶＯＤ」と登録し、Ｓ５へ進む。
【００７７】
なお、仮に、放送コンテンツ録画期間が放送コンテンツ配信期間の中に含まれなかった場合、放送コンテンツ録画管理部２１９は、ＶＯＤにて再配信される「ドラマ「ＸＹＺ」」は録画の代替として不適であると判定し、予約コンテンツ管理テーブルの録画タイプに「録画」と登録し、Ｓ４へ進む。
【００７８】
また、仮にＳ４に進んだ場合、録画予約した「ドラマ「ＸＹＺ」」の放送開始時間に、放送コンテンツ録画管理部２１９は予約録画リストに登録した録画タイプ「録画」を制御部２１２へ通知する。さらに制御部２１２はＤｅｍｕｘ処理部２０４にアクセスし、Ｓ１において分離された放送コンテンツ「ドラマ「ＸＹＺ」」の映像信号及び音声信号を記憶部２１５へ記憶させる。
【００７９】
Ｓ５において、デジタル放送受信装置２はユーザーからの操作を受けて、録画又はＶＯＤと判定した録画コンテンツの再生を実行する。以下、図１６を用いて再生動作について説明する。図１６は、実施の形態１に係るデジタル放送受信装置２の再生時の動作フローチャートである。
【００８０】
Ｓ５１において、ユーザーは録画コンテンツリストから録画予約した録画コンテンツを選択する。例えば、図１７の録画コンテンツリストにおいて、ユーザーが「ドラマ「ＸＹＺ」」を選択した場合、放送コンテンツ録画管理部２１９は、ユーザーが選択した「ドラマ「ＸＹＺ」」に該当する録画コンテンツを録画コンテンツ管理テーブル（図１５）から検出する。
【００８１】
Ｓ５２において、放送コンテンツ録画管理部２１９は、録画コンテンツ管理テーブルから検出された「ドラマ「ＸＹＺ」」の録画タイプを参照し、「ＶＯＤ」又は「録画」を判定する。この例の場合、検出した録画コンテンツの録画タイプが「ＶＯＤ」であるため、Ｓ５３へ進む。なお、仮に検出した録画コンテンツの録画タイプが「録画」である場合、Ｓ５４へ進む。
【００８２】
Ｓ５３において、放送コンテンツ録画管理部２１９は、検出した録画コンテンツ「ドラマ「ＸＹＺ」」の録画タイプが「ＶＯＤ」であるので、録画コンテンツ管理テーブル２３２の「ドラマ「ＸＹＺ」」の行のアクセス先に記載されているＵＲＩ「ＵＲＩ：ｈｔｔｐ：／／ｗｗｗ．＊＊＊」を制御部２１２へ出力する。制御部２１２は、通信部２１３にＵＲＩで示されるＶＯＤ配信サーバ３の格納場所にアクセスさせる。さらに、通信部２１３は、ＶＯＤにて再配信される「ドラマ「ＸＹＺ」」を受信する。また、ＶＯＤ処理部２１６は、通信部２１３からＶＯＤにて再配信される録画コンテンツのデータを取得し、ＶＯＤにて再配信される録画コンテンツの再生処理を開始する。
【００８３】
なお、放送コンテンツ録画管理部２１９は、仮に、検出した録画コンテンツの録画タイプが「録画」である場合、Ｓ５４において、録画コンテンツ管理テーブルの「ドラマ「ＸＹＺ」」の行に記載されているアクセス先を制御部２１２に出力する。制御部２１２はアクセス先を用いて、放送コンテンツ再生部に記憶部２１５に記憶されている放送コンテンツを再生させる。
【００８４】
なお、記憶部２１５は指定された放送コンテンツ録画期間が過ぎると、記憶した録画コンテンツを削除する。以上の動作で実施の形態１に係るデジタル放送受信装置２の動作は終了する。
【００８５】
なお、実施の形態１に係る放送コンテンツ録画管理部２１９は、記憶容量監視部２１５ａの情報に基づいて、録画の要否を判定してもよい。例えば、放送コンテンツ録画管理部２１９は記憶部２１５の残りの記憶容量がある一定量を下回るまでは常に録画と判定し、記憶容量がある一定量を下回った時にはじめて録画の要否判定をするようにしてもよい。このように構成することで、実施の形態１に係るデジタル放送受信装置２は、記憶部２１５の記憶容量に十分に余裕がある場合は全て録画コンテンツを録画するので、必要以上のＶＯＤ再配信コンテンツの視聴を抑え、通信ネットワーク５の利用を制限して通信費を抑えることができる。
【００８６】
また、実施の形態１に係るデジタル放送受信装置２において、放送コンテンツ録画管理部２１９を記憶容量監視部２１５ａの情報に基づいて、録画の要否を判定するように構成した場合、録画コンテンツの録画中に記憶部２１５の記憶容量が不足することも想定される。この場合、現在、記憶部２１５に録画されている録画コンテンツの中で、放送コンテンツ録画期間が放送コンテンツ配信期間に含まれる録画コンテンツについては削除するように構成することも可能である。このように構成すれば、録画中に記憶容量が不足した場合においても、録画コンテンツの録画を実行することができる。
【００８７】
さらに、実施の形態１に係るデジタル放送受信装置２において、放送コンテンツ録画期間中で放送コンテンツ配信期間が複数回に分かれているような場合が考えられる。通常、このような場合には放送コンテンツ録画管理部２１９は録画タイプを「録画」と判定するが、放送コンテンツ録画管理部２１９は録画対象の録画コンテンツを一旦、録画し、ＶＯＤにて再配信される放送コンテンツの視聴ができる状況になった際に録画コンテンツを削除するように構成することも可能である。これにより、ユーザーは録画コンテンツの見逃しを防ぐことができる。さらに、記憶部２１５の記憶容量を有効に活用することができる。
【００８８】
なお、実施の形態１に係るデジタル放送受信装置２は、通信部２１３でＶＯＤにて再配信される放送コンテンツを受信するものとしたが、ＶＯＤに限らず、インターネット等の通信ネットワーク５を介して配信される放送コンテンツであればよい。
【００８９】
また、実施の形態１に係るデジタル放送受信装置２は、ＥＩＴ情報にＶＯＤ再配信予定情報を記述する例を示したが、これに限らず、ＳＤＴ情報等の放送コンテンツ配信期間を記述可能な情報であればＥＩＴ情報にＶＯＤ再配信予定情報が記述されていなくてもよい。
【００９０】
さらに、実施の形態１に係るデジタル放送受信装置２において、ＶＯＤ再配信予定情報はＥｖｅｎｔ＿ＩＤ、日付、放送コンテンツ名、放送コンテンツ配信期間、ＵＲＩ、契約ＩＤから構成される例を示したが、これに限らず、ＵＲＩのみから構成されてもよい。例えば、デジタル放送受信装置２は、ＶＯＤにて再配信される放送コンテンツのアクセス先となるＵＲＩのみをＥＩＴ情報に記述し、このＵＲＩへアクセスすることによりＶＯＤにて再配信される放送コンテンツの放送コンテンツ配信期間などを取得してもよい。
【００９１】
なお、実施の形態１に係るデジタル放送受信装置２は、アンテナ２０１及び通信部２１３（アンテナ２０１と通信部２１３を総称して放送コンテンツ情報受信部とする）を内部に設ける構成としたが、外部に設けてもよい。
【００９２】
また、実施の形態１に係る放送コンテンツ録画管理部２１９の説明において、予約コンテンツ管理テーブル及び録画コンテンツ管理テーブルはＥｖｅｎｔ＿ＩＤ、日付、放送コンテンツ名、放送コンテンツ配信期間、ＵＲＩ、契約ＩＤからなることとしたが、ＳＩ情報、ＥＩＴ情報、ＶＯＤ再配信予定情報のいずれかに含まれる情報であれば追加して管理することが可能である。例えば、開始時刻や放送局名等を追加することも可能である。また、予約コンテンツリスト及び録画コンテンツリストについても、ＳＩ情報、ＥＩＴ情報ＶＯＤ再配信予定情報のいずれかに含まれる情報であれば追加することが可能である。
【００９３】
さらに、実施の形態１に係るデジタル放送受信装置２において、放送コンテンツ録画期間は、放送コンテンツ録画期間設定画面により、予め録画する録画コンテンツの種類に応じて指定されるように構成したが、これに限らず、録画予約する録画コンテンツごとに詳細に指定されるように構成することも可能である。また、放送コンテンツ録画期間設定画面の形式はこれに限らず、特定の日付が入力されるように構成されてもよい。
【００９４】
なお、実施の形態１に係るデジタル放送受信装置２において、放送コンテンツ録画管理部２１９は、放送コンテンツ録画期間と放送コンテンツ配信期間とを比較し、放送コンテンツ配信期間に含まれない放送コンテンツ録画期間が存在する場合、録画と判定し、それ以外の場合はＶＯＤと判定した。本発明はこれに限られず、放送コンテンツ録画期間が放送コンテンツ配信期間に含まれない期間の日数が所定の閾値以下である場合に録画と判定するように構成してもよい。例えば、放送コンテンツ録画管理部２１９は、放送コンテンツ録画期間と放送コンテンツ配信期間とを比較し、放送コンテンツ録画期間が放送コンテンツ配信期間に含まれない期間が５日以内であれば録画コンテンツの録画を行わず、ＶＯＤにて再配信される放送コンテンツを再生するようにすることができる。
【００９５】
また、実施の形態１に係るデジタル放送受信装置２において、放送コンテンツ配信期間は日付で管理されるものとしたが、これに限られず、時間で管理してもよい。例えば、放送コンテンツ配信期間を「２０１２／１２／４  １５：００  ―  ２０１３／２／１０  １７：００」のように時間を加えて表記してもよい。
【００９６】
さらに、実施の形態１に係るデジタル放送受信装置２は、ＶＯＤにて再配信される放送コンテンツをストリーミング形式で受信するとしたが、これに限られず、ダウンロード形式で受信するものとしてもよい。ダウンロード形式で受信するものとした場合、デジタル放送受信装置２は、通信部２１３から受信したＶＯＤにて再配信される放送コンテンツのデータを記憶部２１５で記憶する。
【００９７】
以上のように、実施の形態１に係るデジタル放送受信装置２において、放送コンテンツ録画管理部２１９は、放送コンテンツ配信期間に含まれない放送コンテンツ録画期間が存在する場合、録画と判定し、それ以外の場合はＶＯＤと判定する。したがって、ユーザーは放送コンテンツ配信期間を考慮することなく、録画コンテンツの録画又はＶＯＤを選択することができる。
【００９８】
また、実施の形態１に係るデジタル放送受信装置２において、放送コンテンツ録画管理部２１９は、放送コンテンツ配信期間に含まれない放送コンテンツ録画期間が存在する場合、録画と判定し、それ以外の場合はＶＯＤと判定するので、記憶部２１５に録画コンテンツを記憶させるデータ量が減少し、記憶容量を有効に活用することができる。
【００９９】
実施の形態２．
実施の形態１に係るデジタル放送受信装置２は、放送コンテンツに多重化されたＳＩ情報のＥＩＴ情報に記述されたＶＯＤ再配信予定情報に基づいて、録画の要否を判定した。
しかし、この方式では、ＥＩＴ情報にＶＯＤ再配信予定情報が記述されていることが前提である。そこで、実施の形態２に係るデジタル放送受信装置２は、ＥＩＴ情報にＶＯＤ再配信予定情報が記述されていない場合においても、放送コンテンツに多重化されたＥＩＴ情報から放送コンテンツに関する検索クエリを作成し、検索サーバにアクセスすることによってＶＯＤ再配信予定情報を得ることを特徴とする。以下、図１８を用いて、実施の形態２に係るデジタル放送受信装置について説明する。なお、実施の形態１に係るデジタル放送の放送システム、デジタル放送配信装置及びデジタル放送受信装置の構成に相当する部分には図１、図２及び図５と同一符号を付してその説明を省略する。
【０１００】
まず、図１８を用いて、実施の形態２に係るデジタル放送の放送システムの構成について説明する。
【０１０１】
実施の形態２に係るデジタル放送の放送システムは検索サーバ６を有する。デジタル放送受信装置２は、通信部２１３により通信ネットワーク５を介して前記検索サーバ６と接続され、ＶＯＤ再配信予定情報を受信する。また、以下の説明においてＶＯＤ配信サーバ３は複数存在するものとする。
【０１０２】
検索サーバ６は、ユーザーが録画予約の操作をした際に、デジタル放送受信装置２の通信部２１３から後述する検索クエリを受信して、ＶＯＤにて再配信される放送コンテンツを検索する。また、検索サーバ６は検索によってＶＯＤにて再配信される放送コンテンツと、その放送コンテンツが配信されるＶＯＤ配信サーバ３を特定する。さらに、検索サーバ６は特定したＶＯＤ配信サーバ３から特定した放送コンテンツのＶＯＤ再配信予定情報を取得する。なお、ＶＯＤ再配信予定情報は、図４に示したＶＯＤ再配信予定情報と同様、放送コンテンツ配信期間、契約ＩＤ、アクセス先から構成される。検索サーバ６はデジタル放送受信装置２に通信ネットワーク５を介してＶＯＤ再配信予定情報を送信する。検索サーバ６は、例えば、インターネット上で公開されているビデオ検索ＡＰＩ（Ａｐｐｌｉｃａｔｉｏｎ  Ｐｒｏｇｒａｍ  Ｉｎｔｅｒｆａｃｅ）を提供しているサーバである。
【０１０３】
次に、実施の形態２に係るデジタル放送受信装置２について説明する。なお、実施の形態１に係るデジタル放送受信装置の構成に相当する部分には図５と同一符号を付してその説明を省略する。以下、実施の形態２に係るデジタル放送受信装置２の動作について説明する。
【０１０４】
放送コンテンツ録画管理部２１９は、ユーザーによってＥＰＧ上から放送コンテンツが録画予約の対象として選択されると、録画予約された録画コンテンツの配信予定の有無を確認するため、ＶＯＤ再配信予定判断部２１８に録画コンテンツのＥｖｅｎｔ＿ＩＤを出力する。
【０１０５】
ＶＯＤ再配信予定判断部２１８は、記憶部２１５に記憶されているＳＩ情報から、録画コンテンツの放送コンテンツ名、放送コンテンツの開始時間、出演者等の放送コンテンツ関連情報を取り出す。また、ＶＯＤ再配信予定判断部２１８は、放送コンテンツ関連情報を基に検索クエリを作成する。ここで、検索クエリとは録画予約された録画コンテンツに対応するＶＯＤにて再配信される放送コンテンツを特定するための検索キーワードであり、検索キーワードを文字列等として表したものである。例えば、ユーザーが視聴したい放送コンテンツが図１５に示した「ドラマ「ＸＹＺ」」であり、使用するＶＯＤ再配信予定情報を「放送コンテンツ名、日付」とした場合、検索クエリは「ドラマ「ＸＹＺ」＆２０１３／１２／２５」となる。
【０１０６】
また、ＶＯＤ再配信予定判断部２１８は通信部２１３を介して前記検索サーバ６に検索クエリを送信する。
【０１０７】
通信部２１３は、検索クエリに基づいて検索サーバ６が特定した録画コンテンツのＶＯＤ再配信予定情報を通信ネットワーク５を介して検索サーバ６から受信する。
【０１０８】
ＶＯＤ再配信予定判断部２１８は通信部２１３からＶＯＤ再配信予定情報を取得して放送コンテンツ配信期間を放送コンテンツ録画管理部２１９へ出力する。以降の動作については実施の形態１のＳ３の録画の要否判定と同様であるため、省略する。
【０１０９】
なお、ＶＯＤ再配信予定判断部２１８は、検索サーバ６にて複数のＶＯＤにて再配信される放送コンテンツを検出した場合には、契約済みのＶＯＤにて再配信される放送コンテンツを優先して選択し、選択されたＶＯＤにて再配信される放送コンテンツのＶＯＤ配信予定情報を放送コンテンツ録画管理部２１９へ出力する。また、ＶＯＤ再配信予定判断部２１８は検索サーバ６にて、契約済みのＶＯＤにて再配信される放送コンテンツを複数検出した場合、放送コンテンツ配信期間の長いものを優先して選択する。
【０１１０】
なお、実施の形態２に係るデジタル放送受信装置２は、放送コンテンツ関連情報に基づいて検索クエリを作成し、検索クエリを検索サーバ６へ送信してＶＯＤ再配信予定情報を取得するように構成したが、直接ＶＯＤ配信サーバ３にアクセスしてＶＯＤ再配信予定情報を得るように構成してもよい。
【０１１１】
以上のように、実施の形態２に係るデジタル放送受信装置２は、通信ネットワーク５を介して検索サーバ６にアクセスすることにより、ＥＩＴ情報にＶＯＤ再配信予定情報が記述されていない場合においても、録画コンテンツのＶＯＤ再配信予定情報を入手することができる。
【０１１２】
実施の形態３．
実施の形態３に係るデジタル放送受信装置２ａは、放送コンテンツ送信部２２０を備え、アンテナ２０１で受信した放送波及び通信部２１３で受信したＶＯＤにて再配信される放送コンテンツをテレビ等の受像機に出力するように構成する。以下、図１９を用いて実施の形態３に係るデジタル放送受信装置２ａについて説明する。なお、実施の形態１に係るデジタル放送の放送システム、デジタル放送配信装置及びデジタル放送受信装置の構成に相当する部分には図１、図２及び図５と同一符号を付してその説明を省略する。
【０１１３】
実施の形態３に係るデジタル放送受信装置２ａは、映像制御部２０６、表示画面制御部２０７、映像Ｄ／Ａコンバータ２０８、モニター２０９、音声Ｄ／Ａコンバータ２１０、スピーカ２１１に代えて放送コンテンツ送信部２２０を備える。
【０１１４】
放送コンテンツ送信部２２０は、アンテナ２０１から受信した放送波がチューナー２０２、復調部２０３、Ｄｅｍｕｘ処理部２０４、複合処理部２０５を介して処理された後、放送波の放送コンテンツの映像信号及び音声信号をテレビ等の受像機に出力する。
【０１１５】
なお、実施の形態３に係る放送コンテンツ送信部２２０は、復号処理部２０５で映像信号及び音声信号を復号して、映像信号及び音声信号を送信する構成としたが、復号処理部２０５を介さずに符号化された映像信号及び音声信号を送信するようにしてもよい。
【０１１６】
以上のように、実施の形態３に係るデジタル放送受信装置２ａは、放送コンテンツ送信部２２０を備えるので、を録画した放送コンテンツ及びＶＯＤにて再配信される放送コンテンツを外部の機器で再生することができる。
【符号の説明】
【０１１７】
１  デジタル放送配信装置、２  デジタル放送受信装置、３  ＶＯＤ配信サーバ、４ａ〜４ｄ  ＧＷ、５  通信ネットワーク、１１  映像符号化部、１２  音声符号化部、１３  ＳＩ情報生成部、１４  セクション化部、１５  ＭｕＸ処理部、１６  データ配信部、１７  データ通信部、２０１  アンテナ、２０２  チューナー、２０３  復調部、２０４  Ｄｅｍｕｘ処理部、２０５  復号処理部、２０６  映像制御部、２０７  表示画面制御部、２０８  映像Ｄ/Ａコンバータ、２０９  モニター、２１０  音声Ｄ/Ａコンバータ、２１１  スピーカ、２１２  制御部、２１３  通信部、２１４  操作受信部、２１５  記憶部、２１５ａ  記憶容量監視部、２１６  ＶＯＤ処理部、２１７  放送コンテンツ録画期間設定部、２１８  ＶＯＤ再配信予定判断部、２１９  放送コンテンツ録画管理部
【図１】
2014232978.tif 000003
【図２】
2014232978.tif 000004
【図３】
2014232978.tif 000005
【図４】
2014232978.tif 000006
【図５】
2014232978.tif 000007
【図６】
2014232978.tif 000008
【図７】
2014232978.tif 000009
【図８】
2014232978.tif 000010
【図９】
2014232978.tif 000011
【図１０】
2014232978.tif 000012
【図１１】
2014232978.tif 000013
【図１２】
2014232978.tif 000014
【図１３】
2014232978.tif 000015
【図１４】
2014232978.tif 000016
【図１５】
2014232978.tif 000017
【図１６】
2014232978.tif 000018
【図１７】
2014232978.tif 000019
【図１８】
2014232978.tif 000020
【図１９】
2014232978.tif 000021